(57)【要約】【課題】センター役物において大きな興趣を遊技者に与える。【解決手段】センター役物２０は、パチンコ機の幅方向とほぼ平行に延び、透明な円筒状をなし、その内周面をパチンコ球Ｂがらせん状に転動することをガイドする、らせん状転動ガイド部材６０ａ，６０ｂを有し、らせん状転動ガイド部材６０ａ，６０ｂの内部には、その底部よりも高い位置に設けられた球受け部材８０が設けられ、球受け部材８０に到達したパチンコ球Ｂと球受け部材８０に到達しなかったパチンコ球Ｂとでは、異なった経路を経て流れた後に流出部３７を通って異なる方向にセンター役物２０から流出する。【選択図】図６
2006075338.tif 000002
【特許請求の範囲】
【請求項１】
役物を有する弾球遊技機であって、
前記役物は、
前記弾球遊技機の幅方向とほぼ平行に延び、少なくともほぼなめらかな内周面を有し、その少なくとも手前側の部分が透視性を有する筒状をなし、その内周面を遊技球がらせん状に転動することをガイドする、らせん状転動ガイド部を有する、
弾球遊技機。
【請求項２】
請求項１に記載の弾球遊技機であって、
前記らせん状転動ガイド部の内部には、その底部よりも高い位置に設けられた球受け部が設けられ、
前記球受け部に到達した遊技球と前記球受け部に到達しなかった遊技球とでは、異なった経路を経て当該役物から流出するものである、
弾球遊技機。
【請求項３】
請求項２に記載の弾球遊技機であって、
前記役物には、遊技球が当該役物から流出する一の流出部が形成され、
前記球受け部に到達した遊技球と前記球受け部に到達しなかった遊技球とでは、前記流出部を通って異なる方向に当該役物から流出するものである、
弾球遊技機。
【発明の詳細な説明】
【技術分野】
【０００１】
本発明は、パチンコ機等の弾球遊技機に関するものである。
【背景技術】
【０００２】
パチンコ機（弾球遊技機）は遊技盤を有しており、そのほぼ中央部にセンター役物が設けられている場合が多い。
センター役物の一例として、特許文献１に開示されているものがある。
その役物（センター役物）は、当該遊技機の奥行方向に沿って並列する一対の棒状部材を有している。各棒状部材は、当該遊技機の幅方向にほぼ沿って延びているが、正確には当該遊技機の幅方向から若干ずれているとともに、そのうちの少なくとも一方のほぼ中央長さ部分には湾曲部が形成されている。
【０００３】
そして、各棒状部材が当該遊技機の幅方向に延びる回転軸線を中心に回転することによって、両棒状部材の間の間隔が変化し、両棒状部材の間に支持されたパチンコ球（遊技球）が、種々のバリエーションで転動し落下して、役物から流出する。
【０００４】
しかしながら、上記のような従来の遊技機では、センター役物内に流入したパチンコ球は、種々のバリエーションはあるものの、重力に基づいて転動し落下していくのみであり、遊技者に対してあまり大きな興趣を与えることができなかった。
【特許文献１】特開平１５−１２６３９６公報
【発明の開示】
【発明が解決しようとする課題】
【０００５】
本発明は、役物に改良を行い、大きな興趣を遊技者に与えることができる弾球遊技機を提供することを目的とする。
【課題を解決するための手段】
【０００６】
上記の目的を達成するために、請求項１に係る発明は、役物を有する弾球遊技機であって、前記役物は、前記弾球遊技機の幅方向とほぼ平行に延び、少なくともほぼなめらかな内周面を有し、その少なくとも手前側の部分が透視性を有する筒状をなし、その内周面を遊技球がらせん状に転動することをガイドする、らせん状転動ガイド部を有する、弾球遊技機である。
【０００７】
「少なくともほぼなめらかな内周面を有する」には、「ほぼなめらかな内周面を有する」場合と「なめらかな内周面を有する」場合とがある。
「なめらかな内周面を有する」場合としては、「円形の断面の内周面を有する」場合や「楕円形の断面の内周面を有する」場合等がある。
「ほぼなめらかな内周面を有する」場合としては、「８角形の断面の内周面を有する」場合等がある。
そして、「筒状」には、「円筒状」のほか、「楕円筒状」「８角筒状」等がある。また、「四角形の断面の外周面を有し、円形等の断面の内周面を有する」場合等もある。
また、「筒状」には、その内周面の径が一様のものに限らず、その長さ方向に沿って徐々に変化するものであってもよい。
【０００８】
また、「遊技球がらせん状に転動する」には「重力に基づいて遊技球がらせん状に転動する」があり、さらにそのうちには「重力のみに基づいて遊技球がらせん状に転動する」がある。
【０００９】
この発明の弾球遊技機では、遊技球がらせん状転動ガイド部の内周面をらせん状に転動し、それが遊技者によって視認される。このため、この弾球遊技機では、遊技者に対して大きな興趣を与えることができる。
【００１０】
この発明に関連する発明として、次の２つの発明（第１及び第２の関連発明）が考えられる。また、その２つの発明の特徴を併せ持つ発明も考えられる。
【００１１】
第１の関連発明
「請求項１に係る発明の弾球遊技機であって、
前記らせん状転動ガイド部に対して、当該らせん状転動ガイド部の上流側から下流側に向かう方向の成分を有する方向に沿って遊技球を流入させる流入部が設けられている、
弾球遊技機。」
【００１２】
この発明の弾球遊技機では、らせん状転動ガイド部の上流側から下流側に向かう方向の成分を有する方向に沿って遊技球が当該らせん状転動ガイド部に流入する。このようにして、遊技球にはらせん状転動ガイド部における上流側から下流側に向かう速度成分が付与され、遊技球がらせん状転動ガイド部において円滑にらせん状に転動することとなる。
【００１３】
第２の関連発明
「請求項１に係る発明の弾球遊技機であって、
前記らせん状転動ガイド部の上流側から下流側に向かうにつれて、当該らせん状転動ガイド部の軸線が徐々に下方に向かうように水平から傾斜している、
弾球遊技機。」
【００１４】
この発明の弾球遊技機では、軸線が水平から傾斜しているらせん状転動ガイド部の内部を転動する遊技球は、その傾斜に基づいて、当該らせん状転動ガイド部の上流側から下流側に向かって進行しようとする。このようにして、遊技球にはらせん状転動ガイド部における上流側から下流側に向かう速度成分が付与され、遊技球がらせん状転動ガイド部において円滑にらせん状に転動することとなる。
【００１５】
請求項２に係る発明は、請求項１に係る発明の弾球遊技機であって、前記らせん状転動ガイド部の内部には、その底部よりも高い位置に設けられた球受け部が設けられ、前記球受け部に到達した遊技球と前記球受け部に到達しなかった遊技球とでは、異なった経路を経て当該役物から流出するものである、弾球遊技機である。
【００１６】
この発明の弾球遊技機では、請求項１に係る発明の弾球遊技機の作用及び効果に加えて、次の作用及び効果が得られる。
すなわち、らせん状転動ガイド部の内周面をらせん状に転動した遊技球が球受け部に到達した場合と到達しなかった場合では、その遊技球は異なった経路を経てその役物から流出する。
このため、らせん状転動ガイド部を転動した後の遊技球の転動パターンについても遊技者にとって関心の的となり、遊技者にさらに大きな興趣を与えることができる。
特に、この発明において、遊技球が異なった経路を経て役物から流出することによって入賞口に入賞する可能性が異なる場合には、遊技者に対して一層より大きな興趣を与えることができる。
【００１７】
請求項３に係る発明は、請求項２に係る発明の弾球遊技機であって、前記役物には、遊技球が当該役物から流出する一の流出部が形成され、前記球受け部に到達した遊技球と前記球受け部に到達しなかった遊技球とでは、前記流出部を通って異なる方向に当該役物から流出するものである、弾球遊技機である。
【００１８】
この発明の弾球遊技機では、請求項２に係る発明の弾球遊技機の作用及び効果に加えて、次の作用及び効果が得られる。
すなわち、らせん状転動ガイド部の内周面をらせん状に転動した遊技球が球受け部に到達した場合と到達しなかった場合では、その遊技球はその役物において異なった経路を経て流れた後に、同一の流出部を通って異なる方向に役物から流出する。
このため、遊技球が異なった経路を経て流れた後に各々異なった流出部を通って役物から流出する場合と比べて、遊技球の流出後の行方が遊技者にとって大きな関心の的となり、遊技者にさらに大きな興趣を与えることができる。
また、この発明においても、遊技球が同一の流出部を通って異なる方向に役物から流出することによって入賞口に入賞する可能性が異なる場合には、遊技者に対して一層より大きな興趣を与えることができる。
【発明の効果】
【００１９】
以上のように、本発明の弾球遊技機では、遊技球がらせん状転動ガイド部の内周面をらせん状に転動し、それが遊技者によって視認されるため、遊技者に対して大きな興趣を与えることができる。
【発明を実施するための最良の形態】
【００２０】
次に、本発明の一実施形態について図面に基づいて説明する。
図１に示すように、このパチンコ機（弾球遊技機）はほぼ鉛直な遊技盤１０を有し、その下方には、ハンドル１２が設けられている。また、遊技盤１０の裏側には、賞球払い出し装置（図示省略）が設けられている。
【００２１】
遊技盤１０には、外側レール１３及び内側レール１４が設けられており、内側レール１４の内側が遊技領域（符号省略）とされ、外側レール１３と内側レール１４の間の部分が通路（符号省略）とされている。
そして、遊技者がハンドル１２を操作することによって発射されたパチンコ球は、その通路を通り、遊技領域へと導かれる。
【００２２】
遊技盤１０（遊技領域）には、多数の釘（図示省略）や風車１９が設けられているとともに、複数の普通入賞口１６が設けられている。普通入賞口１６にパチンコ球が入った場合には、例えば６又は１３個のパチンコ球が賞球として賞球払い出し装置から払い出される。
【００２３】
遊技盤１０のほぼ中央にはセンター役物２０が設けられている。センター役物２０の下方（真下）には始動入賞口１７が設けられ、その下方には大入賞口１８が設けられている。
【００２４】
センター役物２０には、表示部２２が設けられている。表示部２２は液晶等によって構成され、種々の図柄が表示される。
すなわち、始動入賞口１７にパチンコ球が入る（これを入賞という）と、表示部２２における図柄が所定の時間変動表示され、その後、最終的な図柄が静止表示される。静止表示された図柄には「当たり」と「はずれ」とがあり、「当たり」の場合（例えば「７７７」）には、大入賞口１８が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物２０が遊技者に与える特別な利益ということとする。
【００２５】
次に、図２〜図７に基づいて、センター役物２０について詳しく説明する。
図３に示すように、センター役物２０は、前側部材３０，裏側部材４０，一対の誘導路形成部材５０ａ，５０ｂ，一対のらせん状転動ガイド部材６０ａ，６０ｂ等がビス（図示省略）によって結合されて形成されている。
センター役物２０は、左右に対称的な構造を有している。
【００２６】
前側部材３０，裏側部材４０には、開口部３１，４１が形成されている。
図２（ａ）に示すように、前側部材３０の前部には、開口部３１の左右両側及び上側にわたって枠状前板部３２が形成されている。
図２（ａ）及び図３に示すように、前側部材３０の開口部３１は、裏側部材４０の開口部４１に対応した位置において、裏側部材４０の開口部４１よりも大きく形成されている。開口部３１，４１から表示部２２（図２，図３等においては図示省略，図１参照）が視認される。
【００２７】
図２及び図３に示すように、前側部材３０（枠状前板部３２）のうちの上部には、上部装飾部材３８が取り付けられている。
前側部材３０（枠状前板部３２）のうちの左右両側の中途高さ部分には、流入口部材３４ａ，３４ｂが取り付けられている。
各流入口部材３４ａ，３４ｂに対応して、前側部材３０（枠状前板部３２）には、流入孔部（図示省略）が形成されている。
【００２８】
図３に示すように、各誘導路形成部材５０ａ，５０ｂは、前側部材３０の枠状前板部３２（図２（ａ）参照）の裏側に配設されている。各誘導路形成部材５０ａ，５０ｂのうちの上流側部分は奥方向転動部５２であり、下流側部分は流下部５４である。
奥方向転動部５２の上流端部は、前側部材３０（枠状前板部３２）に形成された上述の流入孔部に対応している。奥方向転動部５２は、前側部材３０のうちの一部とともに、パチンコ球が奥方向に転動する経路を形成している。その経路（奥方向転動部５２）の底部（符号省略）は、手前側から奥側に向かうにつれて徐々に下方に向かうように水平から傾斜している。
【００２９】
図３に示すように、左右一対の各らせん状転動ガイド部材６０ａ，６０ｂは、本体部６２，帯状縦板部６６を有している。
らせん状転動ガイド部材６０ａ，６０ｂの本体部６２（又は、らせん状転動ガイド部材６０ａ，６０ｂ全体）は、透明又は半透明の合成樹脂によって形成されている。
らせん状転動ガイド部材６０ａ，６０ｂの本体部６２は、一方（このパチンコ機の幅方向における中央側）が閉塞部６４によって塞がれた円筒状をしており、他方の開口部（符号省略）は蓋材６８ａ，６８ｂによって塞がれている。
【００３０】
図２〜図７に示すように、各らせん状転動ガイド部材６０ａ，６０ｂの本体部６２は、このパチンコ機の幅方向にほぼ沿って延びた円筒状をしている。
すなわち、本体部６２の外周面及び内周面とも、円形の断面を有している。本体部６２の外径及び内径とも、本体部６２の長さ方向に沿って一様に形成されている。
また、正確にいえば、左側のらせん状転動ガイド部材６０ａの本体部６２は、このパチンコ機の幅方向において左側（上流側）から中央側（下流側）に向かうにつれて徐々に下方に向かうように水平から若干傾斜している。右側のらせん状転動ガイド部材６０ｂについても同様である。
このらせん状転動ガイド部材６０ａ，６０ｂ（その各本体部６２）が、本発明のらせん状転動ガイド部に該当する。
【００３１】
図３に示すように、帯状縦板部６６は、本体部６２のうちのこのパチンコ機の幅方向における左側又は右側（左側のらせん状転動ガイド部材６０ａの場合は左側）のうちの奥側に形成されている。
各帯状縦板部６６は、各誘導路形成部材５０ａ，５０ｂの流下部５４に対応している。各誘導路形成部材５０ａ，５０ｂの流下部５４は、各帯状縦板部６６とともに、パチンコ球が落下する経路を形成している。
【００３２】
図３及び図４に示すように、各誘導路形成部材５０ａ，５０ｂの流下部５４（それによって形成される経路）のうちの略下半部は、下方に向かうにつれてこのパチンコ機の幅方向における左側又は右側から中央側（左側の誘導路形成部材５０ａの場合は左側から右側）に向かうように曲がっている。すなわち、各誘導路形成部材５０ａ，５０ｂ（その略下半部）は、各らせん状転動ガイド部材６０ａ，６０ｂの上流側から下流側に向かうように曲がっている。
各誘導路形成部材５０ａ，５０ｂ（その略下半部）が、本発明（正確には、その関連発明）の流入部に該当する。
図３に示すように、各らせん状転動ガイド部材６０ａ，６０ｂの本体部６２には、各誘導路形成部材５０ａ，５０ｂの流下部５４に対応して、流入孔部６３が形成されている。
【００３３】
図２（ａ），図３，図５（ａ）等に示すように、各らせん状転動ガイド部材６０ａ，６０ｂの本体部６２の閉塞部６４のうちのほぼ中央部分には、第１流出孔部７１が形成されている。
本体部６２の閉塞部６４のうちの下側部分には第２流出孔部７２が形成されている。第２流出孔部７２の下縁部は本体部６２の底部と一致しており、本体部６２の底部に位置するパチンコ球が第２流出孔部７２から流出可能である。
【００３４】
図２（ａ）等に示すように、左右一対のらせん状転動ガイド部材６０ａ，６０ｂの間には、その各第２流出孔部７２の間をつなぐように、流出用転動部４８が設けられている。
流出用転動部４８は、左右の各端部から中央側に向かうにつれて徐々に下方に向かうように湾曲しているとともに、奥側から手前側に向かうにつれて徐々に下方に向かうように形成されている。
【００３５】
図３〜図７に示すように、左右一対のらせん状転動ガイド部材６０ａ，６０ｂにわたって、球受け部材８０が設けられている。
球受け部材８０は、このパチンコ機の幅方向にほぼ沿って延びている（後述するように、正確には、それより若干ずれている）。
図６（ａ）及び図７（ａ）等に示すように、球受け部材８０の左右の各端部は、各らせん状転動ガイド部材６０ａ，６０ｂの蓋材６８ａ，６８ｂに対して固定されている。
図２（ａ）及び図５（ａ）等に示すように、球受け部材８０は、各第１流出孔部７１を通って、らせん状転動ガイド部材６０ａ，６０ｂの閉塞部６４を貫通している。
【００３６】
図３，図５〜図７に示すように、球受け部材８０のうちの大半の部分であって各らせん状転動ガイド部材６０ａ，６０ｂ（各本体部６２）の内部に位置する部分は、樋状部８２ａ，８２ｂである。樋状部８２ａ，８２ｂは、上方に開口し下方に凸状の円弧状断面を有している。
各樋状部８２ａ，８２ｂは、各らせん状転動ガイド部材６０ａ，６０ｂの本体部６２のほぼ中心軸線上において、各らせん状転動ガイド部材６０ａ，６０ｂの本体部６２の長さ方向に沿って延びている。すなわち、左右の各端部から中央側に向かうにつれて徐々に下方に向かうように傾斜している。
この球受け部材８０（その各樋状部８２ａ，８２ｂ）が、本発明の球受け部に該当する。
【００３７】
図２，図３，図６（ａ），図７（ａ）に示すように、球受け部材８０のうちの中央部分であって両らせん状転動ガイド部材６０ａ，６０ｂの間の空間に位置する部分は、奥方向転動部８４である。奥方向転動部８４は、手前側から奥側に向かうにつれて徐々に下方に向かうように形成されている。
【００３８】
図２に示すように、奥方向転動部８４（図２（ａ））の奥側には、奥側落下部４５（図２（ｂ））が形成されている。奥側落下部４５は、上方及び下方が塞がれた四角筒状をなし、手前側部分は開口している。
図６（ａ）及び図７（ａ）に示すように、その開口部分（符号省略）は奥方向転動部８４によって上下に仕切られており、そのうちの上側の部分は流入用開口部４６であり、そのうちの下側の部分は流出用開口部４７である。
奥側落下部４５の底部（符号省略）は、奥側から手前側に向かうにつれて徐々に下方に向かうように水平から傾斜しており、流出用転動部４８に連なっている。
【００３９】
図２（ａ）及び図３等に示すように、前側部材３０のうちの下部には、このパチンコ機の幅方向に延びるほぼ水平な帯板状部３６が形成されており、その中央部には流出部３７が形成されている。
上述の流出用転動部４８は、流出部３７に連なっている。
流出部３７は、このパチンコ機の幅方向に沿って凹状をなしている（すなわち、その左右の各端部から中央側に向かうつれて徐々に下方に向かうように湾曲している）とともに、奥側から手前側に向かうにつれて徐々に下方に向かうように水平から傾斜している。このため、いずれかの経路で流出部３７に到ったパチンコ球も、流出部３７のうちの中央部（このパチンコ機の幅方向における中央部）又はその近傍を転動してセンター役物２０から流出する。
【００４０】
図６（ａ）及び図７（ａ）に示すように、始動入賞口１７（図１に基づいて前述）は、流出部３７の真下に設けられている。
このため、流出部３７において、その中央部（このパチンコ機の幅方向における中央部）をこのパチンコ機の奥行方向に沿って手前側に転動するパチンコ球は、流出部３７から鉛直下方に落下するため、始動入賞口１７に入賞する可能性が高い。
一方、流出部３７において、パチンコ機の奥行方向からずれた斜め方向に転動するパチンコ球は、流出部３７から斜め下方に落下するため、始動入賞口１７に入賞する可能性が低い。
【００４１】
次に、このパチンコ機の作用及び効果について、図４〜図７等に基づいて説明する。
遊技盤（図１参照）上を転動したパチンコ球（遊技球）が左側の流入口部材３４ａ（図２（ａ））に流入した場合を説明する。なお、このセンター役物２０は左右対称の構造を有しているため、右側の流入口部材３４ｂに流入した場合も同様である。
【００４２】
図３に示すように、流入口部材３４ａに流入したパチンコ球Ｂ（図３においては図示省略）は、誘導路形成部材５０ａの奥方向転動部５２（正確には奥方向転動部５２等によって形成される経路）を奥方向に転動する。
その後、そのパチンコ球Ｂは、図４に示すように、流下部５４（正確には、流下部５４等によって形成される経路）を落下し、らせん状転動ガイド部材６０ａ（その本体部６２）の内部に流入する。
【００４３】
ここで、前述したように、流下部５４のうちの略下半部は、下方に向かうにつれて右側（このパチンコ機の幅方向における右側）に向かうように、すなわち、らせん状転動ガイド部材６０ａ（その本体部６２）の上流側から下流側に向かうように曲がっているため、パチンコ球Ｂはそれに沿って流下する。
このため、らせん状転動ガイド部材６０ａ（本体部６２）の内部に流入したパチンコ球Ｂには、重力に基づいて鉛直下方に向かう速度成分が付与されているとともに、右方向（下流側）に向かう速度成分が付与されている。
【００４４】
そして、図５に示すように、そのパチンコ球Ｂは、重力に基づくエネルギーによって、らせん状転動ガイド部材６０ａ（本体部６２）の内周面に沿って転動する。
それと同時に、上述のようにそのパチンコ球Ｂは右方向に向かう速度成分を有するため、そのパチンコ球Ｂは、らせん状転動ガイド部材６０ａ（本体部６２）の内部を右方向に進行しようとする。また、前述したように、らせん状転動ガイド部材６０ａの本体部６２はほぼ水平ではあるが、正確には左側から右側に向かうにつれて徐々に下方に向かうように水平から傾斜していることからも、パチンコ球Ｂはらせん状転動ガイド部材６０ａ（本体部６２）の内部を右方向に進行しようとする。
これらが合計されて、パチンコ球Ｂは、らせん状転動ガイド部材６０ａ（本体部６２）の内周面に沿って、左側（上流側）から右側（下流側）に向かってらせん状に転動する。
【００４５】
そして、パチンコ球Ｂは徐々にエネルギーを失っていき、上述のらせん状の転動をし得ない状態となり、図５（ａ）において１点鎖線で示すとともに図６に示すように、球受け部材８０（樋状部８２ａ）に到ったり、図５（ａ）において２点鎖線で示すとともに図７に示すように、球受け部材８０（樋状部８２ａ）に到らずに本体部６２の底部（符号省略）から第２流出孔部７２を通って流出用転動部４８に到る。
なお、それまでにらせん状の転動を何周するか（１周未満の場合もあり得る）、及び、球受け部材８０（樋状部８２ａ）に到るか否かは、らせん状転動ガイド部材６０ａの本体部６２に流入した際のそのパチンコ球Ｂのエネルギー等による。
【００４６】
図６に示すように、パチンコ球Ｂが樋状部８２ａ（球受け部材８０）に到った場合は、そのパチンコ球Ｂは樋状部８２ａに沿って右方向に転動し、奥方向転動部８４において奥方向に転動し、流入用開口部４６を通って奥側落下部４５に流入する。奥側落下部４５に流入したパチンコ球Ｂは、奥側落下部４５を鉛直下方に落下し、流出用開口部４７を通って流出用転動部４８に到る。
すなわち、そのパチンコ球Ｂは、流出用転動部４８の中央部（このパチンコ機の幅方向における中央部）に対して、その奥側から到る。このため、そのパチンコ球Ｂは流出用転動部４８の中央部を奥行方向に沿って手前側に転動し、流出部３７の中央部（このパチンコ機の幅方向における中央部）を奥行方向に沿って手前側に転動し、流出部３７から鉛直下方に落下する。
このため、このような経路を経て流出部３７を通ってセンター役物２０から流出するパチンコ球Ｂ（第１の転動流出パターン）は、始動入賞口１７に入賞する可能性が高い。すなわち、前述した特別の利益が遊技者に対して与えられる可能性が高い。
【００４７】
一方、図７に示すように、パチンコ球Ｂがらせん状転動ガイド部材６０ａ（本体部６２）の底部から第２流出孔部７２を経て流出用転動部４８に到った場合は、そのパチンコ球Ｂは、流出用転動部４８を奥行方向からずれた斜め手前側に転動し、流出部３７においても同様に奥行方向からずれた斜め手前側に転動し、流出部３７から斜め下方に落下する。
このため、このような経路を経て流出部３７を通ってセンター役物２０から流出するパチンコ球Ｂ（第２の転動流出パターン）は、始動入賞口１７に入賞する可能性が低い。すなわち、前述した特別の利益が遊技者に対して与えられる可能性は低い。
【００４８】
以上のように、このパチンコ機（センター役物２０）では、パチンコ球Ｂがらせん状転動ガイド部材６０ａ（本体部６２）の内部においてらせん状に転動し、透視性を有する本体部６２を通してそれが遊技者によって視認される。
このため、このパチンコ機では、遊技者に対して大きな興趣を与えることができる。
【００４９】
また、このパチンコ機（センター役物２０）では、パチンコ球Ｂは、重力のみに基づいて上述のようにらせん状に転動し、モータ，電磁石等を必要とせず、電気的配線等を必要としないため、構造が簡略なものとなり、容易に製造することができる。
【００５０】
また、上述のようにしてらせん状に転動したパチンコ球Ｂが球受け部材８０（樋状部８２ａ，８２ｂ）に到るか否かによって、その後にどの経路を経て流出部３７から落下していくか（すなわち、第１の転動流出パターンで転動し流出するか、第２の転動流出パターンで転動し流出するか）が決定される。そして、それによって、そのパチンコ球Ｂが始動入賞口１７に入賞して遊技者に特別の利益が与えられるかが左右される。
このため、パチンコ球Ｂがらせん状に転動した後に球受け部材８０（樋状部８２ａ，８２ｂ）に到るか否かは遊技者に対して大きな関心の的となり、このパチンコ機では、その点でも遊技者に対して大きな興趣を与えることができる。
【００５１】
なお、上記のものはあくまで本発明の一実施形態にすぎず、当業者の知識に基づいて種々の変更を加えた態様で本発明を実施できることはもちろんである。
【００５２】
例えば、上記の実施形態では、センター役物２０が左右対称の構造を有し、左右に一対のらせん状転動ガイド部材６０ａ，６０ｂが設けられているが、センター役物（２０）は左右対称の構造でなくてもよく、らせん状転動ガイド部材は１つのみ設けられてもよい。
【図面の簡単な説明】
【００５３】
【図１】本発明の一実施形態のパチンコ機の正面図である。
【図２】本発明の一実施形態のパチンコ機のセンター役物を示す斜視図である。（ａ）は斜め前方から見た図であり、（ｂ）は斜め後方から見た図である。
【図３】本発明の一実施形態のパチンコ機のセンター役物を示す分解斜視図である。斜め後方から見た図である。
【図４】本発明の一実施形態のパチンコ機のセンター役物のうちの左側の流下部等を示す拡大断面図である。パチンコ機の幅方向に延びる鉛直平面で切断した縦断面図である。
【図５】本発明の一実施形態のパチンコ機のセンター役物の左側のらせん状転動ガイド部材等を示す断面図である。（ａ）は、パチンコ機の幅方向に延びる鉛直平面で切断した縦断面図である。（ｂ）は、パチンコ機の奥行方向に延びる鉛直平面で切断した縦断面図である。
【図６】（ａ）は、本発明の一実施形態のパチンコ機のセンター役物を示す斜視図（一部破断）である。第１の転動流出パターンを示す。（ｂ）は、その際のらせん状転動ガイド部材等を示す断面図（パチンコ機の奥行方向に延びる鉛直平面で切断した縦断面図）である。
【図７】（ａ）は、本発明の一実施形態のパチンコ機のセンター役物を示す斜視図（一部破断）である。第２の転動流出パターンを示す。（ｂ）は、その際のらせん状転動ガイド部材等を示す断面図（パチンコ機の奥行方向に延びる鉛直平面で切断した縦断面図）である。
【符号の説明】
【００５４】
２０  センター役物（役物）
３７  流出部
６０ａ，６０ｂ  らせん状転動ガイド部材（らせん状転動ガイド部）
８０  球受け部材（球受け部）
Ｂ  パチンコ球（遊技球）
【図１】
2006075338.tif 000003
【図２】
2006075338.tif 000004
【図３】
2006075338.tif 000005
【図４】
2006075338.tif 000006
【図５】
2006075338.tif 000007
【図６】
2006075338.tif 000008
【図７】
2006075338.tif 000009